(57)【要約】【課題】装置本体と、装置本体にケーブルで接続される周辺機器を備える電子機器において、組み立て作業の生産性を向上させる。【解決手段】装置本体に、周辺機器を取り付けるためのメカブラケットであって、Ｌ字型板状部材Ａ１０１および底面部１０２を備えたブラケットＡ１００と、Ｌ字型板状部材Ｂ２０１を備えたブラケットＢ２００と、を有する。Ｌ字型板状部材Ａ１０１の側面が底面部１０２の隣接する２辺に接続され、底面部１０２の上記の隣接する２辺と異なる辺に、ブラケットＢ２００に接続される接続部１２０が設けられ、接続部１２０に、ブラケットＢ２００との接続位置を位置決めする爪孔１１１ａ〜ｃと、ケーブルを通す切欠１５０とが形成され、Ｌ字型板状部材Ｂ２０１は、底部に、爪孔１１１ａ〜ｃに嵌合するダボ２１０ａ〜ｃが形成され、上部に装置本体に取り付ける係止部２１４、５が設けられていている。【選択図】図１
2007308006.tif 000002
【特許請求の範囲】
【請求項１】
車載用電子機器の装置本体に、周辺機器を取り付けるためのメカブラケットであって、
前記周辺機器には、前記装置本体と電気的に接続するためのケーブルが設けられていて、
第１のＬ字型板状部材と、略四角形に形成された面状部材とを備え、前記第１のＬ字型板状部材の側面が前記面状部材の隣接する２辺に接続されている第１ブラケットと、
第２のＬ字型板状部材を備えた第２ブラケットと、を有し、
前記第１のＬ字型板状部材は、前記面状部材と接続される側面と異なる側面に、前記メカブラケットを前記装置本体に固定するための固定部が設けられていて、
前記面状部材の前記隣接する２辺と異なる辺には、前記第２ブラケットに接続される接続部が設けられ、該接続部には、前記第２ブラケットとの接続位置を位置決めする第１位置決め部と、前記ケーブルを通すための切欠部とが形成され、
前記第２ブラケットの前記第２のＬ字型板状部材は、底部に、前記第１位置決め部と共に、前記第１ブラケットとの接続位置を位置決めする第２位置決め部が形成され、且つ上部に当該メカブラケットを前記装置本体に取り付けるための係止部が設けられていて、
前記第１のＬ字型形状部材、前記面状部材、および前記第２のＬ字型形状部材で囲まれた空間が前記周辺機器を収容するための収容部を形成すること
を特徴とするメカブラケット。
【請求項２】
請求項１に記載のメカブラケットであって、
前記第１ブラケットの前記面状部材に形成された第１の位置決め部には、複数の孔が形成されていて、
前記第２ブラケットの前記第２のＬ字型板状部材の底部に形成された第２の位置決め部には、前記第１の位置決め部に形成された複数の孔に嵌合される複数のダボが形成されていること
を特徴とするメカブラケット。
【請求項３】
請求項１に記載のメカブラケットであって、
前記第１ブラケットの前記面状部材に形成された第１の位置決め部には、複数のダボが形成されていて、
前記第２ブラケットの前記第２のＬ字型板状部材の底部に形成された第２の位置決め部には、前記第１の位置決め部に形成された複数のダボが嵌合される複数の孔が形成されていること
を特徴とするメカブラケット。
【請求項４】
請求項１〜３のいずれか一項に記載のメカブラケットであって、
前記第１のＬ字型板状部材と、前記面状部材とを備えた第１ブラケットは、一体に成形されていること
を特徴とするメカブラケット。
【発明の詳細な説明】
【技術分野】
【０００１】
本発明は、各種の装置を固定するための機構に関する技術に関し、特に車載用の電子機器を固定するための技術に関する。
【背景技術】
【０００２】
従来から、カーオーディオやナビゲーション装置等の車載用の電子機器をインストルメントパネル等に設けられた収納場所に固定するための技術が知られている（例えば特許文献１の図１）。特許文献１には、車載用の電子機器の側面に取り付けられた取付金具と、車両の所定位置に固定されたブラケットとを利用して、電子機器を車両に固定する構造が開示されている。具体的には、特許文献１のブラケットは、両側面に嵌入孔が設けられている。また、電子機器は、嵌入孔を備えると共に、上面又は底面の少なくとも一方の面の両側端に凹部が形成されている。取付金具は、車載用機器の各嵌入穴に挿入するための嵌入孔（嵌入爪Ａ）と、ブラケットの各嵌入孔に嵌入するための嵌入爪（嵌入爪Ｂ）と、電子機器の凹部に圧接するバネ部とを有する。そして、取付金具の嵌入爪Ａを電子機器の嵌入孔に嵌入すると共に、バネ部を凹部に圧接させることで、取付金具を電子機器に固定する。そして、取付金具の嵌入爪Ｂを車両の固定されているブラケットの嵌入孔に嵌入すると、電子機器が車両に固定される。
【０００３】
【特許文献１】実開昭６２−３１５５０号公報
【発明の開示】
【発明が解決しようとする課題】
【０００４】
ところで、車載用の電子機器には、装置本体部と、その装置本体部に接続されて動作する周辺機器とを備えて構成されているものが多い。例えば、車載用のナビゲーションシステムでは、装置本体部と、ＤＶＤドライブとがフレキシルケーブル等の接続線で接続されているものが知られている。そして、ＤＶＤドライブ等の周辺機器を装置本体部に固定するためにブラケットが用いられることが一般的である。
【０００５】
ここで、従来からあるＤＶＤドライブを装置本体部に接続するためのブラケットの構成を図９に示す。図示するように、ＤＶＤドライブ２０００がブラケット３０００に固定された状態で、装置本体部４０００に複数のネジ３００３により固定される。ブラケット３０００は、ＤＶＤドライブ２０００が載置される底面３００１と、ＤＶＤドライブ２０００を固定するための側面３００２、３００３と、背面（図示しない）とを備えている。底面３００１、側面３００２、３００３、および背面（図示しない）は、ＤＶＤドライブ２０００からのノイズが、装置本体部４０００に漏れるのを防いでいる。そして、ブラケットには、底面部３００１や、側面部３００２、３００３等にフレキシブルケーブル２００１を通すための開口部（図示しない）が設けられているものがある。
【０００６】
また、ＤＶＤドライブ２０００からのノイズ漏れを考慮した場合、ブラケット３０００に設ける開口部は小さい方が望ましい。また、ブラケットの強度を考えた場合、ブラケット３０００に設ける開口部は小さい方が望ましい。そのため、ブラケット３０００に設けられる開口部は、フレキシブルケーブル２００１を通すことが可能な範囲において、小さくされる傾向にある。そして、ブラケット３０００に設ける開口部を小さくすると、フレキシブルケーブル２００１をブラケット３０００の開口部を貫通させる作業が面倒なものとなる。その結果、電子機器の生産性を悪化させてしまう。
【０００７】
なお、上記特許文献１は、車載用の電子機器を車両に固定するブラケットの構成を開示したものであり、装置本体部と、その装置本体部にフレキシブルケーブル等で接続されて動作する周辺機器とを備えた車載用の電子機器において、組み立て作業の生産性を向上させるものではない。
【０００８】
本発明は、上記事情に鑑みてなされたものであり、本発明の目的は、装置本体部と、その装置本体部に接続される周辺機器を備える電子機器において、組み立て作業の生産性を向上させることにある。
【課題を解決するための手段】
【０００９】
上記課題を解決するため、本発明の一態様は、車載用電子機器の装置本体に、周辺機器を取り付けるためのメカブラケットに適用される。ここで、前記周辺機器には、前記装置本体と電気的に接続するためのケーブルが設けられているものとする。
【００１０】
そして、前記メカブラケットは、第１のＬ字型板状部材と、略四角形に形成された面状部材とを備え、前記第１のＬ字型板状部材の側面が前記面状部材の隣接する２辺に接続されている第１ブラケットと、第２のＬ字型板状部材を備えた第２ブラケットと、を有し、前記第１のＬ字型板状部材は、前記面状部材と接続される側面と異なる側面に、前記メカブラケットを前記装置本体に固定するための固定部が設けられていて、前記面状部材の前記隣接する２辺と異なる辺には、前記第２ブラケットに接続される接続部が設けられ、該接続部には、前記第２ブラケットとの接続位置を位置決めする第１位置決め部と、前記ケーブルを通すための切欠部とが形成され、前記第２ブラケットの前記第２のＬ字型板状部材は、底部に、前記第１位置決め部と共に、前記第１ブラケットとの接続位置を位置決めする第２位置決め部が形成され、且つ上部に当該メカブラケットを前記装置本体に取り付けるための係止部が設けられていて、前記第１のＬ字型形状部材、前記面状部材、および前記第２のＬ字型形状部材で囲まれた空間が前記周辺機器を収容するための収容部を形成する。
【発明の効果】
【００１１】
このように本発明では、車載用の電子機器の装置本体に、周辺機器を取り付けるためのメカブラケットを２つのブラケット（第１ブラケットおよび第２ブラケット）を組み合わせる２分割構造にしている。そして、第１ブラケットは、第２ブラケットに接続される接続部を備え、その接続部にケーブルを通すための切欠部を形成している。そのため、周辺機器のケーブルを他のモジュール（例えば、装置本体）に接続する場合、組み立て作業を簡易化させることができる。すなわち、本発明によれば、周辺機器のケーブルを第１ブラケットの切欠部に通しておいてから、第１ブラケットおよび第２ブラケットを接続して組み立てればよく、一体型のブラケットのようにケーブルを所定の孔に貫通させるという面倒な作業を行う必要がない。
【００１２】
また、本発明では、第１ブラケットおよび第２ブラケットに、各々、互いの接続位置を位置決めする位置決め部を設けるようにしている。そのため、第１ブラケットおよび第２ブラケットを位置決めして接続する作業が簡単に行えるようになる。すなわち、２分割構造のメカブラケットの組み立て作業を簡易化することができる。
【発明を実施するための最良の形態】
【００１３】
以下、本発明が適用された電子機器のブラケット（以下では、「メカブラケット」という）の一実施形態について、図面を用いて説明する。
【００１４】
まず、本実施形態のメカブラケットについて、図１〜２を用いて説明する。本実施形態のメカブラケットは、装置本体部にフレキシブルケーブルで電気的に接続される周辺機器を、装置本体部に固定するために用いられるものである。なお、以下の説明は、電子機器が車載用のナビゲーション装置である場合を例にする。また、以下で示す装置本体部とは、ＣＰＵ、メモリ、Ｉ／Ｏインタフェース等を備える情報処理装置である。また、以下では、周辺機器がＤＶＤドライブである場合を例にしている。
【００１５】
そして、情報処理装置は、ユーザからの要求に応じて経路探索や経路誘導等のナビゲーション装置としての機能を提供する。また、情報処理装置は、ＤＶＤドライブを介して、ＤＶＤドライブに装着されているＤＶＤに記憶されているデータ（例えば地図情報）を読み出したり、或いは、ＤＶＤに各種データを書き込んだりする。なお、ナビゲーション装置の機能を実現する情報処理装置やＤＶＤドライブの構成は、既存の技術であるためここでの説明は省略する。
【００１６】
図１は、本実施形態のメカブラケットの概略斜視図である。図２は、本実施形態のメカブラケットがＤＶＤドライブに取り付けられた状態での斜視図を示している。
【００１７】
さて、図１に示すように、メカブラケットは、ブラケットＡ１００、およびブラケットＢ２００を備える。なお、メカブラケットの材質について特に限定しない。例えば、メカブラケットには、ステンレスを用いることができる。そして、メカブラケットは、ブラケットＡ１００と、ブラケットＢ２００とを組み合わせることにより、すなわち、ブラケットＡ１００と、ブラケットＢ２００とを接続することにより、ＤＶＤドライブ３００を装置本体部に固定するための固定手段として機能する（図２参照）。以下、ブラケットＡ１００およびブラケットＢ２００の構成について説明する。
【００１８】
まず、ブラケットＡ１００について説明する。ブラケットＡ１００は、略四角形に形成された平面板状の底面部１０２と、Ｌ字型板状部材Ａ１０１（１０１ａ、１０１ｂ）と、を備える。そして、Ｌ字型板状部材Ａ１０１（１０１ａ、１０１ｂ）の一方の側面が底面部１０２の隣接する２辺に接続される。なお、ブラケットＡ１００は、プレス加工等により１枚の板材から成形されていてもよいし、別々に成形された部材が溶接等により結合して成形されていてもよい。
【００１９】
また、Ｌ字型板状部材Ａ１０１（１０１ａ、１０１ｂ）は、底面部１０２と接続される側面と異なる側面に、メカブラケットを装置本体部に固定するための固定部１０３、１０４を備える。固定部１０３、１０４には、ネジ留めに利用するためのネジ孔が形成されている。
【００２０】
また、底面部１０２は、Ｌ字型板状部材Ａ１０１（１０１ａ、１０１ｂ）が接続されている２辺と異なる辺であって、図示する矢印Ａ方向から底面部１０２を見て右側の辺に、ブラケットＢ２００と接続するための接続部１２０（破線で囲んだ部分）を備えている。接続部１２０には、複数（図示する例では３箇所）の舌形状の爪部１１０ａ〜１１０ｃが形成されていると共に、フレキシルケーブル３１０（図４参照）を通すための切欠１５０が形成されている。また、各爪部１１０ａ〜１１０ｃには、各々、ブラケットＢ２００に設けられたダボ２１０ａ〜ｃと嵌合するための爪孔１１１ａ〜ｃが形成されている。
【００２１】
つぎに、ブラケットＢ２００について説明する。ブラケットＢ２００は、Ｌ字型板状部材Ｂ２０１と、Ｌ字型板状部材Ｂ２０１の上面に形成された係止部２０４、２０５と、ブラケットＢ２００をＤＶＤドライブ３００に固定するためのネジ孔が形成されている固定部２０８、２０９とを有する。
【００２２】
Ｌ字型板状部材Ｂ２１０の底部には、ブラケットＡ１００の接続部１２０に形成された爪孔１１１ａ〜ｃに嵌合されるダボ２１０ａ〜２１０ｃが形成されている。具体的には、ダボ２１０ａを爪孔１１１ａに挿入し、ダボ２１０ｂを爪孔１１１ｂに挿入し、ダボ２１０ｃを爪孔１１１ｃに挿入することで、ブラケットＡ１００と、ブラケットＢ２００とを接続する位置が位置決めされる。
【００２３】
また、係止部２０４、２０５には、それぞれ、後述するリブ部５０４、５０５（図３、図５参照）の先端部と嵌合する孔２２４、２２５が形成されていると共に、装置本体部にネジ留めするためのネジ孔２１４、２１５が形成されている。そして、係止部２０４、５が、装置本体部のリブ部５０４、５０５に係止された状態でネジ留めされることにより、ブラケットＢ２００は、装置本体部に固定される。
【００２４】
続いて、メカブラケット（ブラケットＡ１００およびブラケットＢ２００）を取り付けたＤＶＤドライブ３００を装置本体部に取り付けるための概略構成を図３および図４に示す。
【００２５】
図３は、本実施形態のメカブラケットを取り付けたＤＶＤドライブと、ＤＶＤドライブを取り付ける装置本体部とを示した斜視図を示している。なお、図３では、（ａ）図に、メカブラケットを取り付けたＤＶＤドライブと、装置本体部とが分離されている状態を示し、（ｂ）図に、メカブラケットを取り付けたＤＶＤドライブが、装置本体部に取り付けられた状態を示している。また、図４は、図３（ｂ）のＸＸ断面図である。
【００２６】
図３および４に示すように、装置本体部は、本体メカ部４００と、本体メカ部４００を収納する、角筒形状の本体収納部５００とを備えている。なお、ＤＶＤドライブ３００と本体メカ部４００とがフレキシブルケーブル３１０で接続される（図４参照）。また、ＤＶＤドライブ３００には、後述するモジュール基板１０００と接続するためのフレキシブルケーブル３１１（図４には示さず）が接続されている。
【００２７】
そして、本体収納部５００は、図示するＡ方向から見て右側側面の上部に、ブラケットＢ２００の係止部２０４、５を係止するためのリブ部５０４、５０５を備えている。ここで、図３に示す本体収納部５００のリブ部５０４、５を拡大した斜視図を図５に示す。図示するように、リブ部５０４（或いはリブ部５０５）には、ネジ孔５２０が形成されている。そして、リブ部５０４（或いはリブ部５０５）に、ブラケットＢ２００の係止部２０４（或いは係止部２０５）が係止された状態でネジ留めされる。
【００２８】
ここで、図６に、リブ部５０４に、ブラケットＢ２００の係止部２０４が係止されてネジ留めされている状態を示す。図示するように、リブ部５０４（或いはリブ部５０５）の先端部が係止部２０４（或いは２０５）の孔２２４（２２５）に嵌合されることにより、メカブラケットと装置本体部との取付け位置が位置決めされる。
【００２９】
このように構成することにより、本実施形態では、メカブラケットの装置本体部への嵌め合せ、および位置決めを同じタイミングで行えるため、組み立て作業の生産性を向上させることができる。
【００３０】
図３、および図４に戻る。また、本体収納部５００は、図示するＡ方向から見て左側側面の上部に、ブラケットＡ２００の固定部１０１、１０２を固定するための固定部５０１、５０２を備えている（５０１は図示していない）。固定部５０１、５０２にはネジ孔５２０が形成されている。そして、ＤＶＤドライブ３００に取り付けられたブラケットＡ１００の固定部１０１、１０２が本体収納部５００の固定部５０１、５０２に載置され、ネジ留めされる。これにより、ブラケットＡ１００が本体収納部５００に固定される。
【００３１】
続いて、本実施形態のメカブラケットを利用して、ＤＶＤドライブ３００を装置本体部に取り付ける作業手順を説明していく。
【００３２】
初めに、メカブラケットをＤＶＤドライブ３００に取り付ける手順について図７を用いて説明していく。
【００３３】
図７は、本実施形態のメカブラケットをＤＶＤドライブに固定する際の作業手順を説明するための図である。なお、以下では、ＤＶＤドライブ３００の底面部３００ａに、本体メカ部１００に接続するフレキシブルケーブル３１０と、モジュール基板１０００と接続するためのフレキシブルケーブル３１１とが接続されているものとする。なお、図７では、（ａ）図に第１工程の説明図を示し、（ｂ）図に第２工程の説明図を示し、（ｃ）図に第３工程の説明図を示し、（ｄ）図に第４工程の説明図を示す。
【００３４】
先ず、作業者は、ＤＶＤドライブ３００をブラケットＡ１００の底面部１０２に載せて、ＤＶＤドライブ３００の一方の側面（Ａ方向から見た左側面（図２参照））および背面をＬ字型板状部材Ａ１０１に当接させる。そして、ＤＶＤドライブ３００に接続されている２本のフレキシブルケーブル３１０、３１１を切欠１５０に通し（図１参照）、底面部１０２の本体メカ部４００と対向する面側（１０２ｂ）に持っていく（第１工程）。
【００３５】
つぎに、作業者は、ブラケットＢ２００のＬ字型板状部材Ｂ２０１の底部の形成されたダボ２１０ａ〜２１０ｃを、ブラケットＡ１００の接続部１２０に形成された爪孔１１１ａ〜ｃに挿入することにより、ブラケットＡ１００とブラケットＢ２００とを位置決めして仮留めをする（第２工程）。
【００３６】
つぎに、作業者は、図示するＢ方向からブラケットＡ１００をＤＶＤドライブ３００にネジ留めする。また、作業者は、図示するＣ方向からブラケットＢ２００をＤＶＤドライブ３００にネジ留めする（第３工程）。なお、ＤＶＤドライブ３００には、予め、ネジ留め用の孔が形成されているものとする。また、ネジ留めする位置やネジの本数は特に限定しない。そして、本工程により、メカブラケットがＤＶＤドライブに取り付けられて固定される。
【００３７】
なお、本実施形態では、さらに、ブラケットＢ２００にモジュール基板１０００を取り付けて（取り付ける方法について特に限定しない）、フレキシブルケーブル３１１をモジュール基板１０００に接続する（第４工程）。
【００３８】
このように、本実施形態では、メカブラケットを２分割構造にしている。そして、ブラケットＡ１００の接続部１２０に、フレキシブルケーブル３１０、３１１を通すための切欠１５０を設けている。そのため、ＤＶＤドライブを他のモジュール（例えば、本体メカ部４００）に電気的に接続する必要がある場合において、組み立て作業を簡易化させることができる。具体的には、本実施形態では、フレキシブルケーブル３１０、３１１を、ＤＶＤドライブ３００が載置される面と異なる側に通した上で、ブラケットＡ１００に、ブラケットＢを接続させることができる。したがって、本実施形態では、一体型のメカブラケットを利用する場合のように、メカブラケットに形成されている孔にフレキシブルケーブルを貫通させる工程を行う必要がなく、作業が簡素化できる。
【００３９】
また、本実施形態では、ブラケットＡ１００の接続部１２０に爪孔１１１ａ〜ｃを設けておいて、ブラケットＢ２００に、ブラケットＡ１００の爪孔１１１ａ〜ｃに対応するダボを設けるようにしている。そして、ブラケットＡ１００の爪孔１１１ａ〜ｃに、ブラケットＢ２００のダボを挿入すれば、ブラケットＡ１００とブラケットＢ２００とが位置決めされた上で仮留めされる。すなわち、本実施形態の構成により、２つの部品（ブラケットＡ１００およびブラケットＢ２００）を簡単な作業で、位置決めして固定できるようになる。
【００４０】
その後、メカブラケットを取り付けたＤＶＤドライブ３００を装置本体部に固定する作業に移行する。以下、ＤＶＤドライブ３００を装置本体部に固定する作業手順について、図説明する。
【００４１】
図８は、本実施形態のメカブラケットを取り付けたＤＶＤドライブを装置本体部に固定する手順を説明するための図である。なお、図８では、（ａ）図に第１工程を示し、（ｂ）図に第２工程を示している。
【００４２】
作業者は、先ず、ＤＶＤドライブ３００に接続されているフレキシブルケーブル３１０を本体メカ部４００に設けられたコネクタ４０１に接続する。
【００４３】
つぎに、作業者は、メカブラケットの固定部１０３、１０４を、本体収納部５００の固定部５０１、５０２に載置すると共に、メカブラケットの係止部２０４、２０５を本体収納部のリブ部５０４、５０５に係止する。具体的には、メカブラケットの固定部１０３を本体収納部５００の固定部５０１に載置して、メカブラケットの固定部１０４を本体収納部５００の固定部５０２に載置する。また、メカブラケットの係止部２０４の孔２２４に、本体収納部５００のリブ部５０４の先端を嵌合させる。メカブラケットの係止部２０５の孔２２５に、本体収納部５００のリブ部５０５の先端を嵌合させる。
【００４４】
そして、メカブラケットの固定部１０３、１０４と、本体収納部５００の固定部５０１、５０２とをネジ留めする。また、メカブラケットの係止部２０５、２０６と、本体収納部のリブ部５０５、５０６とをネジ留めする。この工程により、メカブラケットが取り付けられたＤＶＤドライブ３００が装置本体部に取り付けられて固定される。
【００４５】
このように、本実施形態では、メカブラケットの係止部２０４（２０５）にリブ部５０４（５０５）の先端を嵌合する孔２２４（２２５）を設けるようにしたことで、メカブラケットの装置本体部への嵌め合せと、位置決めとを同じタイミングで行える。そのため、本実施形態では、車載用の電子機器の組み立て作業の生産性を向上させることができる。
【００４６】
なお、本発明は、以上で説明した実施形態に限定されるものではなく、本発明の要旨の範囲内において種々の変形が可能である。例えば、上記実施形態の説明では、ブラケットＡ１００およびブラケットＢ２００を位置決めするための構成として、ブラケットＢ２００側にダボを設けて、ブラケットＡ１００側にダボと嵌合する孔を設けるようにしたがこれは例示に過ぎない。ブラケットＡ１００側にダボを設けて、ブラケットＢ２００側にダボと嵌合する孔を設けるようにしてもよい。また、上記実施形態では、ダボをＤＶＤドライブ３００と対向する面に設けるようにしているが、本体メカ部４００と対向する面にダボを設けるようにしてもよい。
【図面の簡単な説明】
【００４７】
【図１】本発明の実施形態のメカブラケットの概略斜視図である。
【図２】本発明の実施形態のメカブラケットがＤＶＤドライブに取り付けられた状態の斜視図である。
【図３】本発明の実施形態のメカブラケットを取り付けたＤＶＤドライブと、ＤＶＤドライブを取り付ける装置本体部とを示した斜視図である。
【図４】図３（ｂ）のＸＸ断面図である。
【図５】図３に示す本体収納部５００のリブ部を拡大した斜視図である。
【図６】本実施形態のリブ部に、ブラケットＢの係止部が係止されてネジ留めされている状態を示した図である。
【図７】本発明の実施形態のメカブラケットをＤＶＤドライブに固定する際の作業手順を説明するための図である。
【図８】本発明の実施形態のメカブラケットを取り付けたＤＶＤドライブを装置本体部に固定する手順を説明するための図である。
【図９】従来のブラケットの構成を説明するための図である。
【符号の説明】
【００４８】
１００…ブラケットＡ、１０１…Ｌ字型板状部材Ａ、１０２…底面部、１０３…固定部、１０４…固定部、２００…ブラケットＢ、爪部…１１０、爪孔…１１１、１２０…接続部、１５０…切欠、２００…ブラケットＢ、２０１…Ｌ字型板状部材Ｂ、２１０…ダボ、２０４…係止部、２０５…係止部、２０８…固定部、２０９…固定部、２１４…ネジ孔、２１５…ネジ孔、２２４…孔、２２５…孔、３００…ＤＶＤドライブ、３１０…フレキシブルケーブル、３１１…フレキシブルケーブル、４００…本体メカ部、４０１…コネクタ、５００…本体収納部、５０１…固定部、５０２…固定部、５０４…リブ部、５０５…リブ部、５２０…ネジ孔、１０００…モジュール基板、２０００…ＤＶＤドライブ、２００１…フレキシブルケーブル、３０００…ブラケット、ネジ３００３、４０００…装置本体部
【図１】
2007308006.tif 000003
【図２】
2007308006.tif 000004
【図３】
2007308006.tif 000005
【図４】
2007308006.tif 000006
【図５】
2007308006.tif 000007
【図６】
2007308006.tif 000008
【図７】
2007308006.tif 000009
【図８】
2007308006.tif 000010
【図９】
2007308006.tif 000011